(57)【要約】【課題】健康増進に寄与することを目的とした健康器具であって、製作が容易で、汎用性がある健康器具を提供することを課題とする。【解決手段】本体１０を、シリコンゴム等の樹脂に、純度略１００パーセントのゲルマニウム等のマイナスイオンを発する鉱物の粉状物を混入して人体の顔の表面と略同じ大きさのシート状に成形し、該本体１０における、目、鼻、又は口に対応する位置に開口部１１・１１・１２・１３を設けた健康器具１とする。この本体１０を円形に形成し、該本体１０における鼻の位置に対応する開口部１２を開閉自在に構成する。【選択図】  図２
2004298307.tif 000002
【特許請求の範囲】
【請求項１】
本体を、樹脂に、マイナスイオンを発する鉱物の粉状物を混入して人体の顔の表面と略同じ大きさのシート状に成形し、該本体における、目、鼻、又は口に対応する位置に開口部を設けたことを特徴とする健康器具。
【請求項２】
本体を、人体の顔の表面と略同じ大きさのシート状に成形し、該本体における、目、鼻、又は口に対応する位置に開口部を設けるとともに、該本体に、樹脂に、マイナスイオンを発する鉱物の粉状物を混入したものを塗着したことを特徴とする健康器具。
【請求項３】
前記本体を略円形に形成したことを特徴とする請求項１、又は請求項２に記載の健康器具。
【請求項４】
前記本体における鼻の位置に対応する開口部を開閉自在に構成したことを特徴とする請求項１から請求項３のうち何れか一項に記載の健康器具。
【請求項５】
前記本体における鼻の位置に対応する開口部は、該本体における鼻の両側に対応する位置に孔部を穿孔し、一方の孔部から他方の孔部へ略「Ｕ」字状に切れ目を入れて蓋部を形成し、該蓋部を開閉することで、開閉自在に構成したことを特徴とする請求項４に記載の健康器具。
【請求項６】
本体を、樹脂に、マイナスイオンを発する鉱物の粉状物を混入して略円形のシート状に成形し、該本体の縁部に沿って絞り部材を設けたことを特徴とする健康器具。
【請求項７】
本体を、略円形のシート状に成形して、該本体の縁部に沿って絞り部材を設けるとともに、該本体に、樹脂に、マイナスイオンを発する鉱物の粉状物を混入したものを塗着したことを特徴とする健康器具。
【請求項８】
前記本体における、人体のツボに対応する位置に、磁気的エネルギー又は電気的エネルギーを発する金属片を取り付けたことを特徴とする請求項１から請求項７のうち何れか一項に記載の健康器具。
【請求項９】
本体を、樹脂に、マイナスイオンを発する鉱物の粉状物を混入して円環状に成形し、該本体における内周部に磁気的エネルギー又は電気的エネルギーを発する金属片を取り付けたことを特徴とする健康器具。
【請求項１０】
本体を、樹脂に、マイナスイオンを発する鉱物の粉状物を混入してシート状に成形し、該本体の片面と、該本体よりも面積の大きな粘着シートの粘着面とを貼り合わせて構成したことを特徴とする健康器具。
【請求項１１】
前記本体の中央に開口部を形成し、該開口部に磁気的エネルギー又は電気的エネルギーを発する金属片を配置して前記粘着シートの粘着面に貼り付けたことを特徴とする請求項１０に記載の健康器具。
【請求項１２】
前記マイナスイオンを発する鉱物を純度略１００パーセントのゲルマニウムとしたこと特徴とする請求項１から請求項１１のうち何れか一項に記載の健康器具。
【請求項１３】
前記磁気的エネルギー又は電気的エネルギーを発する金属を、磁石、又はチタンとしたことを特徴とする請求項８、請求項９、又は請求項１１のうち何れか一項に記載の健康器具。
【発明の詳細な説明】
【０００１】
【発明の属する技術分野】
本発明は、樹脂に、マイナスイオンを発する鉱物の粉状物を混入して成形した健康器具に関する。
【０００２】
【従来の技術】
トルマリンからは恒常的にマイナスイオンが発生していることが知られ、近年、このマイナスイオンが健康増進に効果があることが報告されている。人間の体には生体電流という極微弱な電気が流れており、このバランスが崩れてプラスイオンが多くなると、肩・首・腰の凝りや膝などの痛みを引き起こすことが知られている。このプラスイオンをトルマリンから発生するマイナスイオンによって相殺し、生体電流を正常に戻すことで、健康バランスが整えられるのである。このようにマイナスイオンによる健康増進への効果に関心が高まっており、特開２００２−７４４号公報には、トルマリンの特性を利用した美顔マスクが開示されている。
【０００３】
同号公報の図２、図３に示すように、美顔マスク１３は人体の顔の形状に沿って能面の如き形状に形成されており、目に対応する位置には孔１５・１５が開口され、鼻の孔に対応する位置には孔１７が開口されて、口に対応する位置には孔１９が開口されている。
【０００４】
同号公報の図４に示すように、この美顔マスク１３は５層構造となっていて、顔の形状に沿った基板１３の内側に第一の層５が形成され、該第一の層５の内側に第二の層７が形成されて、該第二の層７の内側に第三の層９が形成され、該第三の層９の内側に第四の層９が形成されて、該第四の層９を顔の表面に接する側の層としている。
【０００５】
基板３は、合成樹脂板等により肉厚が約０．３〜３（ｍｍ）に成形されている。
第一の層５は、鉱石の微細粉末と合成樹脂性粘着溶液とを混合した層がシルク印刷によって形成されており、該鉱石の微細粉末は少なくとも、健緑石（登録商標）、千枚岩及びトルマリン等を高熱処理した後に粉末化したものを含んでいる第二の層７は、数種類の着色色素混合することにより色を調整した後、透明な合成樹脂性粘着溶液（透明メジューム）と混合して、シルク印刷によって塗布されることにより形成されている。
第三の層９は、設定温度に達すると色素が見えなくなるメタモ色素微細粉を含有させた合成樹脂性粘着溶液によって形成されている。
第四の層１１は、透明な合成樹脂性粘着溶液によるシルク印刷により形成されている。
以上のような構成で、美顔マスク１３は形成されている。
【０００６】
【特許文献１】
特開２００２−７４４号公報
【０００７】
【発明が解決しようとする課題】
しかしながら、この５層構造の美顔マスク１３は、完成までの作業工程数が比較的多く、このために生産コストが上昇して、コスト的にはあまり有利とは言えない。
【０００８】
また、この美顔マスク１３は能面の如き形状で顔に嵌め込むようになっている。ところで、顔の大きさや形状は人それぞれ異なり、さらに言えば、目、鼻、口の相対的な位置関係や、鼻の高さなどが異なることから、このような構成の美顔マスク１３は、各人の顔に合わせてオーダーメードで製作することが望ましい。
その場合、まず、各人の顔の形状に合わせた型枠を製作しておき、該型枠に合成樹脂の溶融液を流し込んで固め、基板３を形成する。そして、該基板３の上に第一の層５をシルク印刷して乾かした後、該第一の層５の上に第二の層７をシルク印刷して乾かし、同様に、該第二の層７の上に第三の層９をシルク印刷して乾かして、最後に、該第三の層９の上に第四の層１１をシルク印刷して乾かして、美顔マスク１３を完成させる。
このように美顔マスク１３をオーダーメードで製作するとなると、手間暇が掛かるとともに、なお一層コストが上昇する。
【０００９】
そこで、コスト削減の観点から、Ｓサイズ、Ｍサイズ、Ｌサイズ、ＬＬサイズなどの各サイズの美顔マスク１３を製作しておいて、商品化することも可能である。
この場合、消費者は、自分の顔にどのサイズの美顔マスク１３が合うか試着してみる必要があり、サンプル品を試着するにしても、他人が試着を繰り返したものを、自分の顔に装着するのは、あまり好まれることではなく、中には、不快に感じる人もいる。
以上のように試着を繰り返して、最も自分の顔に合ったサイズの美顔マスク１３を選んだとしても、該美顔マスク１３は必ずしも消費者の顔にジャストフィットするわけではない。
【００１０】
本発明では、以上のような点を鑑み、▲１▼製作容易であること、▲２▼汎用性があること、▲３▼健康増進に寄与することを、目的に発明した健康器具を提供することを課題とする。
【００１１】
【課題を解決するための手段】
本発明の解決しようとする課題は以上の如くであり、次にこの課題を解決する健康器具を説明する。
まず、請求項１に記載のように、本体を、樹脂に、マイナスイオンを発する鉱物の粉状物を混入して人体の顔の表面と略同じ大きさのシート状に成形し、該本体における、目、鼻、又は口に対応する位置に開口部を設けた健康器具とする。
【００１２】
または、請求項２に記載のように、本体を、人体の顔の表面と略同じ大きさのシート状に成形し、該本体における、目、鼻、又は口に対応する位置に開口部を設けるとともに、該本体に、樹脂に、マイナスイオンを発する鉱物の粉状物を混入したものを塗着した健康器具とする。
【００１３】
また、請求項３に記載のように、前記本体を略円形に形成する。
【００１４】
そして、請求項４に記載のように、前記本体における鼻の位置に対応する開口部を開閉自在に構成する。
【００１５】
一例を示すと、請求項５に記載のように、前記本体における鼻の位置に対応する開口部は、該本体における鼻の両側に対応する位置に孔部を穿孔し、一方の孔部から他方の孔部へ略「Ｕ」字状に切れ目を入れて蓋部を形成し、該蓋部を開閉することで、開閉自在に構成する。
【００１６】
また、請求項６に記載のように、本体を、樹脂に、マイナスイオンを発する鉱物の粉状物を混入して略円形のシート状に成形し、該本体の縁部に沿って絞り部材を設けた健康器具とする。
【００１７】
または、請求項７に記載のように、本体を、略円形のシート状に成形して、該本体の縁部に沿って絞り部材を設けるとともに、該本体に、樹脂に、マイナスイオンを発する鉱物の粉状物を混入したものを塗着した健康器具とする。
【００１８】
そして、請求項８に記載のように、前記本体における、人体のツボに対応する位置に、磁気的エネルギー又は電気的エネルギーを発する金属片を取り付ける。
【００１９】
また、請求項９に記載のように、本体を、樹脂に、マイナスイオンを発する鉱物の粉状物を混入して円環状に成形し、該本体における内周部に磁気的エネルギー又は電気的エネルギーを発する金属片を取り付けた健康器具とする。
【００２０】
そうして、請求項１０に記載のように、本体を、樹脂に、マイナスイオンを発する鉱物の粉状物を混入してシート状に成形し、該本体の片面と、該本体よりも面積の大きな粘着シートの粘着面とを貼り合わせて構成した健康器具とする。
【００２１】
そして、請求項１１に記載のように、前記本体の中央に開口部を形成し、該開口部に磁気的エネルギー又は電気的エネルギーを発する金属片を配置して前記粘着シートの粘着面に貼り付ける。
【００２２】
さらに、請求項１２に記載のように、前記マイナスイオンを発する鉱物を純度略１００パーセントのゲルマニウムとする。
【００２３】
また、請求項１３に記載のように、前記磁気的エネルギー又は電気的エネルギーを発する金属を、磁石、又はチタンとする。
【００２４】
【発明の実施の形態】
これより、本発明の実施の一形態を、図面を参照しながら説明する。
図１は顔に健康器具１を載せた状態の図、図２は円形の健康器具１の正面図、図３は同じく側面断面図、図４は（ａ）は楕円形状の健康器具１’の正面図。（ｂ）はホームベース形状の健康器具１”の正面図、図５は円形の健康器具１の背面図、図６は頭に健康器具２（２’）を被せた状態の図、図７は健康器具２の平面図、図８は健康器具２の斜視図、図９は健康器具２（２’）の底面図、図１０は健康器具３の平面図、図１１は健康器具４の平面図、図１２は健康器具４’の平面図である。
【００２５】
以下の実施の形態に記載の樹脂には、シリコンゴム等の合成樹脂や、天然ゴム等の天然樹脂が含まれるものとし、また、樹脂に混入するマイナスイオンを発する鉱物は、例えば、ゲルマニウム、セレニウム、トルマリン石、貴陽石、麦飯石、又は健緑石等とする。また、このマイナスイオンを発する鉱物は、ゲルマニウム、セレニウム、トルマリン石、貴陽石、麦飯石、又は健緑石の何れか１種類の鉱物に限らず、２種類以上の鉱物であってもよい。
【００２６】
まず、人体の顔の表面と略同じ大きさのシート状に成形した健康器具１について説明する。
図１に示すように、この健康器具１は、顔の表面に載せて使用する、所謂、美顔シートで、健康増進を図ることを目的としたものであり、本体１０を、樹脂に、マイナスイオンを発する鉱物の粉状物を混入して人体の顔の表面と略同じ大きさのシート状に成形し、該本体１０における、目、鼻、又は口に対応する位置に開口部１１・１１・１２・１３を設けている。
【００２７】
あるいは、本体を、人体の顔の表面と略同じ大きさのシート状に成形して、該本体における、目、鼻、又は口に対応する位置に開口部を設けるとともに、該本体に、樹脂に、マイナスイオンを発する鉱物の粉状物を混入したものを塗着して構成してもよい。このシート状に成形した本体は、例えば、布などとする。
【００２８】
図２に示すように、健康器具１の本体１０は円形に形成されており、該本体１０における、目に対応する位置には開口部１１・１１が形成され、口に対応する位置には開口部１３が形成されて、鼻に対応する位置については開閉自在に開口部１２が設けられている。（図３参照）
【００２９】
この開口部１２は、本体１０における鼻の両側に対応する位置に孔部１４・１４が穿孔されて、一方の孔部１４から他方の孔部１４へ略「Ｕ」字状に切れ目を入れて蓋部１０ｂが形成され、つまり、該蓋部１０ｂは該開口部１２の開口面積と略同じ大きさに形成されて、該蓋部１０ｂは該開口部１２に開閉自在に係合されている。
【００３０】
詳述すると、蓋部１０ｂにおける開口部１３側の両隅部１０ｃ・１０ｃは滑らかな円弧状としており、これにより蓋部１０ｂを開口部１２に対して容易に着脱でき、該蓋部１０ｂの該開口部１２への嵌め込みが容易になるとともに、該蓋部１０ｂと該開口部１２との係合を容易に外すことができるようになっている。
また、前記孔部１４・１４が設けられていることで、蓋部１０ｂを開口部１２に対して開放したときに、該孔部１４・１４で応力が逃がされ、蓋部１０ｂが開口部１１・１１側へ裂け難くなるように構成されて、耐久性の向上が図られている。
【００３１】
このように本体１０における鼻に対応する位置の開口部１２を開閉自在に構成することで、顔の表面に健康器具１を載せたときに、本体１０の蓋部１０ｂは鼻の頭に押し上げられて、鼻の孔での呼吸口が確保されるとともに、該蓋部１０ｂで鼻の頭も覆われて、該鼻の頭にも、本体１０に均一に混入したマイナスイオンを発する鉱物が効果的に作用する。
【００３２】
なお、本実施の形態では、目、鼻、口の全てに対応する位置に開口部１１・１１・１２・１３を設けているが、目に対応する位置には開口部は設けずに、鼻と口に対応する位置に開口部を設けるなどの構成としてもよく、目、鼻、又は口に対応する位置に開口部が設けられた構成であれば、特に限定はしない。
【００３３】
さらに、本実施の形態では、鼻に対応する位置の開口部１２を開閉自在に構成しているが、目と口に対応する位置の開口部１１・１１・１３のように、完全に穴を開けた構成としてもよい。また、逆に、目又は口に対応する位置の開口部を、鼻に対応する位置に設けた開口部１２のように開閉自在に構成してもよい。
【００３４】
また、健康器具１の本体１０を円形としている理由は、試験の結果、円形の本体１０で、上下方向には額から顎、左右方向には両耳の付根付近までを覆うことができ、つまり、円形の本体１０で、充分に顔の表面の略全域を覆うことができるためである。また、この開口部１１・１１・１３等を備えた円形の本体１０は打ち抜き加工により容易に成形できる。
【００３５】
なお、このシート状の本体１０の形状は円形に限らず、楕円形状の本体１０’（図４（ａ）参照）や、野球のホームベースの如き形状の本体１０”（図４（ｂ）参照）に成形してもよく、その形状は特に限定はしない。この楕円形状の本体１０’や、野球のホームベースの如き形状の本体１０”についても、打ち抜き加工で容易に成形することができる。
【００３６】
また、健康器具１の本体１０は肉厚が０．５（ｍｍ）前後に形成されており、従って、該本体１０を顔の表面に載せたときに、ちょうど、ハンカチを顔に載せたときのように、顔の表面の凹凸に沿って波打ちながら、フィットするようになっている。
【００３７】
この本体１０の硬度は４から１０としており、硬度が小さくなるほど、人間の皮膚とよく似た肌触りとなって感触が良くなり、硬度が大きくなるほど、成形加工がしやすくなる。なお、この本体１０の硬度については、特に限定はしないものとする。
【００３８】
以上のような構成の健康器具１の本体１０は、打ち抜き加工により一工程で成形でき、量産も容易で、コスト的に有利である。また、円形の本体１０は、顔の表面の略全域を覆うことができ、該本体１０は薄肉に形成されていることから、顔の形状に関わらず、顔の表面の凹凸に沿って波打ちながらフィットし、成人であれば略どの人にも適用できて、汎用性が高い。
なお、この健康器具１は、子供用等を鑑みて、幾種類かのサイズを設ける構成としてもよい。
【００３９】
以上のような構成で、健康器具１は、顔に載せることによって、ゲルマニウム等の鉱物からのマイナスイオンが顔を通じて人体に効果的に作用し、これによりプラスイオンが過剰となる生体電流のバランスが整えられて、健康増進が図られる。
【００４０】
さらに、図５に示すように、健康器具１の本体１０には、人体のツボに対応する位置に、磁気的エネルギー又は電気的エネルギーを発する金属片１０１〜１１１を取り付けて構成してもよい。この金属片１０１〜１１１には、磁石片やチタン片などを使用し、本体１０の裏面（顔に接する側）に焼き付け、又は接着剤により取り付けている。金属片１０１・１１１は本体１０の左右中央における上部と下部に配置され、金属片１０２〜１１０はそれぞれ本体１０の左側部と右側部とに一対配置されている。
【００４１】
金属片１０１は印堂、金属片１０２は攅竹、金属片１０３は魚腰、金属片１０４は陽白、金属片１０５は糸竹空、金属片１０６は晴明、金属片１０７は四白、金属片１０８は瞳子リョウ、金属片１０９は曲鬢、金属片１１０は巨リュウ、金属片１１１は承ショウ、のツボ位置に対応するように配置されている。
【００４２】
攅竹（金属片１０２位置）、魚腰（金属片１０３位置）、陽白（金属片１０４位置）、糸竹空（金属片１０５位置）、晴明（金属片１０６位置）、四白（金属片１０７位置）、瞳子リョウ（金属片１０８位置）、曲鬢（金属片１０９位置）、承ショウ（金属片１１１位置）は顔の皺をとるのに有効なツボで、該ツボを金属片１０２〜１０９、１１１で刺激することで、顔の筋肉が引き締められ、皺の元となるたるみを防ぐのに効果がある。
【００４３】
印堂（金属片１０１位置）、攅竹（金属片１０２位置）、糸竹空（金属片１０５位置）、四白（金属片１０７位置）、曲鬢（金属片１０９位置）は目の疲れに有効なツボで、該ツボを金属片１０１・１０２・１０５・１０７・１０９で刺激することで、血行が促進され、目の疲れに効果的に作用して、目がすっきりするようになる。
【００４４】
巨リュウ（金属片１１０位置）は歯痛に有効なツボで、該ツボを金属片１１０で刺激することで、歯の痛みが効果的にやわらげられる。
【００４５】
以上のように、金属片１０１〜１１１を備えた健康器具１では、マイナスイオンを発する鉱物に加えて、金属片１０１〜１１１も効果的に作用し、血行が促進されて、健康の増進が図られる。
なお、これら金属片１０１〜１１１の配置位置は上記のツボ位置に限定するものではなく、他のツボ位置に配置してもよい。
【００４６】
次に、本体２０を、略円形のシート状に成形して、該本体２０の縁部に沿って絞り部材２１を設けた健康器具２について説明する。
図６に示すように、この健康器具２は、頭に被せて使用する、所謂、ヘアキャップで、健康増進を図ることを目的としたものである。この健康器具２は、前記健康器具１とともに用いることもでき、該健康器具１を顔の表面に載せるとともに、該健康器具２で頭部の額の上から後頭部付近まで被せて併用することで、健康増進がより一層図られるようになっている。
【００４７】
図８に示すように、この健康器具２は、本体２０を、樹脂に、マイナスイオンを発する鉱物の粉状物を混入して略円形又は円形のシート状に成形し、該本体の縁部に沿ってゴムバンド等の絞り部材２１を設けて構成している。
【００４８】
あるいは、本体を、略円形又は円形のシート状に成形して、該本体の縁部に沿ってゴムバンド等の絞り部材を設けるとともに、該本体に、樹脂に、マイナスイオンを発する鉱物の粉状物を混入したものを塗着して構成してもよい。
【００４９】
絞り部材であるゴムバンド２１は、健康器具２を頭に被せた後、頭から抜けないように締め付けるためのものであり、該絞り部材にはゴムバンド２１のほか、紐などとしてその両端部を縛るなどの構成としてもよく、本体２０の縁部に沿って設けられる絞り部材の構成は特に限定はしないものとする。
【００５０】
この健康器具２の本体２０は肉厚が０．５（ｍｍ）前後に形成されており、従って、該本体２０を頭に被せたときに、ちょうど、ハンカチを頭に被せたときのように、頭部の形状に沿ってフィットし、また、ゴムバンド２１によって、頭から抜けないように軽く締め付けられている。
【００５１】
この本体２０の硬度は４から１０としており、硬度が小さくなるほど、人間の皮膚とよく似た肌触りとなって感触が良くなり、硬度が大きくなるほど、成形加工がしやすくなる。なお、この本体２０の硬度については、特に限定はしないものとする。
【００５２】
以上のような構成の健康器具２の本体２０は、打ち抜き加工により一工程で成形でき、量産も容易で、コスト的に有利である。また、略円形又は円形の本体２０は、頭部の額の上から後頭部付近までを覆うことができ、該本体２０は薄肉に形成されていることから、頭部の形状に関わらず、頭部に沿ってフィットし、成人であれば略どの人にも適用できて、汎用性が高い。
なお、この健康器具２は、子供用等を鑑みて、幾種類かのサイズを設ける構成としてもよい。
【００５３】
以上のような構成で、健康器具２は、頭に被せることによって、ゲルマニウム等の鉱物からのマイナスイオンが顔を通じて人体に効果的に作用し、これによりプラスイオンが過剰となる生体電流のバランスが整えられて、健康増進が図られる。
【００５４】
また、この頭部に被せる健康器具２’は、図８に示すように構成してもよい。健康器具２’の本体２５は半球状に成形し、該本体２５の縁部に沿って円環状にゴムバンド２６を設ける。
この本体２５は、樹脂に、マイナスイオンを発する鉱物の粉状物を混入して半球状に成形されている。あるいは、本体を半球状に成形して、該本体に、樹脂に、マイナスイオンを発する鉱物の粉状物を混入したものを塗着して構成してもよい。
【００５５】
また、本体２５の縁部に沿って設けられたゴムバンド２６は、該本体２５を頭に被せた後、頭から抜けないように締め付けるための絞り部材である。
なお、絞り部材はゴムバンド２６のほか、紐などとしてその両端部を縛るなどの構成としてもよく、本体２５の縁部に沿って設けられる絞り部材の構成は特に限定はしないものとする。
【００５６】
この本体２５は樹脂で薄肉に形成されており、該本体２５を頭に被せたときに、伸び縮みして、頭の形状にフィットするようになっている。
【００５７】
以上のような構成の健康器具２’の本体２５は、樹脂の溶融液を半球状の型枠に流し込んで成形され、該本体２５のゴム紐２６等の絞り部材が取り付けられる。このように健康器具２’は簡単な工程で製造され、量産も容易で、コスト的に有利となる。
【００５８】
以上のような構成の健康器具２’も、頭に被せることによって、ゲルマニウム等の鉱物からのマイナスイオンが頭を通じて人体に効果的に作用し、これによりプラスイオンが過剰となる生体電流のバランスが整えられて、健康増進が図られる。
【００５９】
さらに、図９に示すように、健康器具２（２’）の本体２０（２５）には、人体のツボに対応する位置に、磁気的エネルギー又は電気的エネルギーを発する金属片２０１〜２０５を取り付けて構成してもよい。この金属片２０１〜２０５には、磁石片やチタン片などを使用し、本体２０（２５）の裏面（頭に接する側）に焼き付け、又は接着剤により取り付けている。金属片２０１・２０２・２０３は本体２０（２５）の左右中央に配置され、金属片２０４・２０５はそれぞれ本体２０の左側部と右側部とに一対配置されている。なお、本体２０（２５）には前後左右が判るように図示しない目印が設けられ、前中央が鼻の上方延長上に位置し、頭の頂部に金属片２０２が当たるように被せる。
【００６０】
健康器具２（２’）の本体２０（２５）を頭部の額の上から後頭部付近まで被せたときに、金属片２０１は前頂、金属片２０２は百会、金属片２０３は後頂、金属片２０４は通天、金属片２０５は頷厭、のツボ位置に対応するように配置されている。
【００６１】
前頂（金属片２０１位置）、百会（金属片２０２位置）、通天（金属片２０４位置）は、髪に艶とはりを与えるのに有効なツボで、該ツボを金属片２０１・２０２・２０４で刺激することで、油や汗の分泌をつかさどる自立神経の失調が整えられて、その結果、髪に艶とはりが与えられる。
【００６２】
百会（金属片２０２位置）、後頂点（金属片２０３位置）、通天（金属片２０４位置）は、頭痛・頭重に有効なツボで、該ツボを金属片２０２・２０３・２０４で刺激することで、頭痛が和らげられる。
【００６３】
百会（金属片２０２位置）、通天（金属片２０４位置）、頷厭（金属片２０５位置）は、後頭神経痛に有効なツボで、該ツボを金属片２０２・２０４・２０５で刺激することで、血行が促進されて後頭神経痛が和らげられる。
【００６４】
以上のように、金属片２０１〜２０５を備えた健康器具２では、マイナスイオンを発する鉱物に加えて、金属片２０１〜２０５も効果的に作用し、血行が促進されて、健康の増進が図られる。
なお、これら金属片２０１〜２０５の配置位置は上記のツボ位置に限定するものではなく、他のツボ位置に配置してもよい。
【００６５】
次に、樹脂に、マイナスイオンを発する鉱物を均一に混入して円環状に成形した健康器具３について説明する。
なお、金属等で円環状のベース部材を形成しておき、該ベース部材の周りに樹脂を周設する構成としてもよい。
【００６６】
図１０に示すように、この健康器具３は、例えば、指輪であり、指を介して健康増進が図られるとともに、また、アクセサリーにもなる。
この健康器具３の本体３０は円環状に形成されており、該本体３０は、型枠に、マイナスイオンを発する鉱物の粉状物を混入した樹脂の溶融液を流し込むことで容易に成形できて、コスト的にも有利である。
【００６７】
また、本体３０における内周部に磁気的エネルギー又は電気的エネルギーを発する金属片３１・３１・・・が取り付られている。この金属片３１・３１・・・には、例えば、磁石片やチタン片などを使用し、本体３０の内周部（指に接する側）に焼き付け、又は接着剤により取り付けている。
図１０では、金属片３１・３１・・・はリングの中心から、互いに９０°間隔を開けて４つ配置しているが、その配置数は特に限定するものではない。
【００６８】
以上のような構成で、健康器具３は、指に装着することによって、ゲルマニウム等の鉱物からのマイナスイオンが指を通じて人体に効果的に作用し、これによりプラスイオンが過剰となる生体電流のバランスが整えられるとともに、金属片３１・３１・・・も効果的に作用して、血行が促進され、健康の増進が図られる。
【００６９】
なお、この樹脂に、マイナスイオンを発する鉱物を混入して円環状に成形した健康器具３は、指輪のほか、ブレスレットなどでもよく、特にその製品については限定しない。
【００７０】
次に、本体４０を、樹脂に、マイナスイオンを発する鉱物の粉状物を均一に混入してシート状に成形し、該本体４０の片面と、該本体４０よりも面積の大きな粘着シート４１の粘着面とを貼り合わせて構成した健康器具４について説明する。
【００７１】
図１１に示すように、この健康器具４は、例えば、肩や腰など人体における所望の箇所に貼るものであり、これにより健康増進が図られる。
この健康器具４の本体４０は打ち抜き加工により簡単に成形でき、該本体４５と粘着シート４１とを貼り合わせることで、健康器具４は容易に製作でき、コスト的にも有利である。
なお、図１１では、本体４０は円形に形成され、粘着シート４１は矩形に形成されて、該粘着シート４１の中央に本体４０が配置されているが、該本体４０及び粘着シート４１の形状は、これに限定するものではない。
また、健康器具４の大きさは、数センチメートル四方であっても、数十センチメートル四方であってもよく、特に限定はしないものとする。
【００７２】
以上のような構成で、健康器具４は、肩、腰等に装着することによって、ゲルマニウム等の鉱物からのマイナスイオンが指を通じて人体に効果的に作用し、これによりプラスイオンが過剰となる生体電流のバランスが整えられ、健康の増進が図られる。
【００７３】
また、この健康器具４’は、別実施例として、以下のような形状に構成してもよい。
図１２に示すように、健康器具４’の本体４５の中央には、開口部４５ａを形成しておき、該開口部４５ａに磁気的エネルギー又は電気的エネルギーを発する金属片４６を配置して前記粘着シート４１の粘着面に貼り付けて構成する。この金属片４６には、例えば、磁石片やチタン片などを使用している。
【００７４】
この開口部４５ａを備えた本体４５は打ち抜き加工により簡単に成形でき、該本体４５と金属片４６とを粘着シート４１に貼り付けることで、健康器具４’は容易に製作でき、コスト的にも有利である。
なお、図１２では、本体４５はドーナツ状に形成されて、その中央に開口部４５ａが形成され、粘着シート４１は矩形に形成されて、該粘着シート４１の中央に本体４５が配置されているが、該本体４５及び粘着シート４１の形状は、これに限定するものではない。
また、健康器具４’の大きさも、数センチメートル四方であっても、数十センチメートル四方であってもよく、特に限定はしないものとする。
【００７５】
以上のような構成で、健康器具４’は、肩、腰等のツボ位置に装着することによって、ゲルマニウム等の鉱物からのマイナスイオンが指を通じて人体に効果的に作用し、これによりプラスイオンが過剰となる生体電流のバランスが整えられるとともに、金属片４６も効果的に作用して、血行が促進され、健康の増進が図られる。
【００７６】
以上、健康器具１・２・３・４について幾つかの実施の形態を説明したが、これらの実施の形態において、マイナスイオンを発する鉱物には、純度略１００パーセントのゲルマニウムが最も効果的であり、例えば、樹脂に、純度９９．９９９パーセントのゲルマニウムの粉状物を、重量パーセントで、３パーセント以上混入することで、マイナスイオン効果が効果的に発揮される。
【００７７】
このゲルマニウムは、熱・光・電磁波によって反応し、マイナスイオンを放出する亜金属の半導体物質で、温度が３２度以上になるとマイナスイオンを放出することが知られている。この３２度は、体温よりもやや低い温度であり、従って、前記健康器具１・２・３・４を、顔、頭、指、肩、腰等の人体に装着することで、該健康器具１・２・３・４に体温が伝わり、樹脂に混入したゲルマニウムからマイナスイオンが発生する。このようにゲルマニウムは体温付近の温度でマイナスイオンを発生し、この体温付近の温度でのマイナスイオン効果はトルマリンなどを遥かに超えることが報告されている。
【００７８】
【発明の効果】
本発明は、以上のように健康器具を構成したので、次に示すような効果を奏する。
まず、請求項１に記載のように、本体を、樹脂に、マイナスイオンを発する鉱物の粉状物を混入して人体の顔の表面と略同じ大きさのシート状に成形し、該本体における、目、鼻、又は口に対応する位置に開口部を設けた健康器具では、該鉱物からのマイナスイオンが顔部に効果的に作用し、これによりプラスイオンが過剰となる生体電流のバランスが整えられて、健康増進が図られる。
また、この健康器具は打ち抜き加工により容易に成形でき、コスト的にも有利である。
【００７９】
また、請求項２に記載のように、本体を、人体の顔の表面と略同じ大きさのシート状に成形し、該本体における、目、鼻、又は口に対応する位置に開口部を設けるとともに、該本体に、樹脂に、マイナスイオンを発する鉱物の粉状物を混入したものを塗着した健康器具でも、該鉱物からのマイナスイオンが顔部に効果的に作用し、これによりプラスイオンが過剰となる生体電流のバランスが整えられて、健康増進が図られる。
この健康器具は打ち抜き加工により容易に成形でき、コスト的にも有利である。
【００８０】
また、請求項３に記載のように、前記本体を略円形に形成したことで、該本体で、上下方向には額から顎、左右方向には両耳の付根付近までの顔の表面の略全域を充分に覆うことができるとともに、また、該略円形の本体は打ち抜き加工により容易に成形でき、コスト的にも有利である。
さらに、略円形の本体はシート状の薄肉に形成されていることから、顔の形状に関わらず、顔の表面の凹凸に沿って波打ちながら顔の全域にフィットし、成人であれば略どの人にも適用できて、汎用性が高い。
【００８１】
そして、請求項４に記載のように、前記本体における鼻の位置に対応する開口部を開閉自在に構成することで、該開口部を開閉自在に塞ぐ蓋部は鼻の頭に押し上げられて、鼻の孔での呼吸口が確保されており、また、該蓋部によって、鼻の頭も覆われて、該鼻の頭にも、本体に均一に混入したマイナスイオンを発する鉱物が効果的に作用する。
【００８２】
そうして、請求項５に記載のように、前記本体における鼻の位置に対応する開口部は、該本体における鼻の両側に対応する位置に孔部を穿孔し、一方の孔部から他方の孔部へ略「Ｕ」字状に切れ目を入れて蓋部を形成し、該蓋部を開閉することで、開閉自在に構成することで、該蓋部を該開口部に対して開放したときに、該孔部で応力が逃がされ、該蓋部が目の位置の開口部側へ裂け難くなるように構成されて、耐久性が向上する。
【００８３】
また、請求項６に記載のように、本体を、樹脂に、マイナスイオンを発する鉱物の粉状物を混入して略円形のシート状に成形し、該本体の縁部に沿って絞り部材を設けた健康器具は、頭部に沿うようにあてて、絞り部材で締め付けることで、容易に頭部に装着することができるようになっており、該鉱物からのマイナスイオンが頭部に効果的に作用して、これによりプラスイオンが過剰となる生体電流のバランスが整えられて、健康増進が図られる。
この健康器具は打ち抜き加工により容易に成形でき、コスト的にも有利である。
【００８４】
また、請求項７に記載のように、本体を、略円形のシート状に成形して、該本体の縁部に沿って絞り部材を設けるとともに、該本体に、樹脂に、マイナスイオンを発する鉱物の粉状物を混入したものを塗着した健康器具は、頭部に沿うようにあてて、絞り部材で締め付けることで、容易に頭部に装着することができるようになっており、該鉱物からのマイナスイオンが頭部に効果的に作用して、これによりプラスイオンが過剰となる生体電流のバランスが整えられて、健康増進が図られる。
この健康器具は打ち抜き加工により容易に成形でき、コスト的にも有利である。
【００８５】
そして、請求項８に記載のように、前記本体における、人体のツボに対応する位置に、磁気的エネルギー又は電気的エネルギーを発する金属片を取り付けることで、該金属片からの磁気的エネルギー又は電気的エネルギーにより、血行が促進され、健康の増進が図られる。
【００８６】
また、請求項９に記載のように、本体を、樹脂に、マイナスイオンを発する鉱物の粉状物を混入して円環状に成形し、該本体における内周部に磁気的エネルギー又は電気的エネルギーを発する金属片を取り付けた健康器具では、該鉱物からのマイナスイオンが人体に効果的に作用し、これによりプラスイオンが過剰となる生体電流のバランスが整えられて、健康増進が図られる。
また、この健康器具は、マイナスイオンを発する鉱物の粉状物を混入した樹脂の溶融液を型枠に流し込むことで容易に成形でき、コスト的にも有利である。
【００８７】
そうして、請求項１０に記載のように、本体を、樹脂に、マイナスイオンを発する鉱物の粉状物を混入してシート状に成形し、該本体の片面と、該本体よりも面積の大きな粘着シートの粘着面とを貼り合わせて構成した健康器具では、該鉱物からのマイナスイオンが人体に効果的に作用し、これによりプラスイオンが過剰となる生体電流のバランスが整えられて、健康増進が図られる。
また、この健康器具の本体は打ち抜き加工により容易に成形でき、コスト的にも有利である。
【００８８】
そして、請求項１１に記載のように、前記本体の中央に開口部を形成し、該開口部に磁気的エネルギー又は電気的エネルギーを発する金属片を配置して前記粘着シートの粘着面に貼り付けることで、該金属片からの磁気的エネルギー又は電気的エネルギーにより、血行が促進され、健康の増進が図られる。
【００８９】
さらに、請求項１２に記載のように、前記マイナスイオンを発する鉱物を純度略１００パーセントのゲルマニウムとすることで、この純度略１００パーセントのゲルマニウムは、トルマリンなどの他のマイナスイオンを発する鉱物に比べて体温付近の温度でのマイナスイオン効果が遥かに優れ、該純度略１００パーセントのゲルマニウムからのマイナスイオンが人体に効果的に作用し、これによりプラスイオンが過剰となる生体電流のバランスが整えられて、健康増進が図られる。
【００９０】
また、請求項１３に記載のように、前記磁気的エネルギー又は電気的エネルギーを発する金属を、磁石、又はチタンとすることで、該磁石からの磁気的エネルギー又は該チタンからの電気的エネルギーにより、血行が促進され、健康の増進が図られる。
【図面の簡単な説明】
【図１】顔に健康器具１を載せた状態の図。
【図２】円形の健康器具１の正面図。
【図３】同じく側面断面図。
【図４】（ａ）は楕円形状の健康器具１’の正面図。（ｂ）はホームベース形状の健康器具１”の正面図。
【図５】円形の健康器具１の背面図。
【図６】頭に健康器具２（２’）を被せた状態の図。
【図７】健康器具２の平面図。
【図８】健康器具２’の斜視図。
【図９】健康器具２（２’）の底面図。
【図１０】健康器具３の平面図。
【図１１】健康器具４の平面図。
【図１２】健康器具４’の平面図。
【符号の説明】
１    健康器具
２    健康器具
３    健康器具
４    健康器具
１０    本体
１０ｂ  蓋部
１１    開口部
１２    開口部
１３    開口部
１４    孔部
２０    本体
２１    ゴムバンド
３０    本体
３１    金属片
４０    本体
４１    粘着シート
４５    本体
４５ａ  開口部
１０１〜１１１  金属片
２０１〜２０５  金属片
【図１】
2004298307.tif 000003
【図２】
2004298307.tif 000004
【図３】
2004298307.tif 000005
【図４】
2004298307.tif 000006
【図５】
2004298307.tif 000007
【図６】
2004298307.tif 000008
【図７】
2004298307.tif 000009
【図８】
2004298307.tif 000010
【図９】
2004298307.tif 000011
【図１０】
2004298307.tif 000012
【図１１】
2004298307.tif 000013
【図１２】
2004298307.tif 000014